(57)【要約】【課題】消費者がより多くの商品情報を簡単に得ることができるようにすること。【解決手段】上記の課題を解決するために、本願発明では、ＣＣＤカメラを内蔵している携帯電話機であって、前記ＣＣＤカメラで、２次元バーコードにより商品の包装に記載されている商品情報を読み取り、この商品情報を画面上に出力する機能を有することを特徴とする携帯電話機とすることにより、従来のＪＡＮコードで商品の包装に商品情報を記載する場合と比較して、消費者が、遥かに多くの商品情報を、非常に手軽に確認できるようにしたものである。【選択図】なし【特許請求の範囲】
【請求項１】
ＣＣＤカメラを内蔵している携帯電話機であって、前記ＣＣＤカメラで、２次元バーコードにより商品の包装に記載されている商品情報を読み取り、この商品情報を画面上に出力する機能を有することを特徴とする携帯電話機。
【請求項２】
画面上に出力されている商品情報から商品のホームページのＵＲＬを選択する機能と、商品のホームページのＵＲＬが選択されると、商品の詳細情報を、商品情報公開用サーバから受信してブラウザの画面で出力する機能とを有することを特徴とする請求項１に記載の携帯電話機。
【請求項３】
画面上に出力されている商品情報から商品説明の案内電話番号を選択する機能と、商品説明の案内電話番号が選択されると、商品の音声案内サーバに電話が掛り、商品の音声案内サーバから提供される商品の音声案内を出力する機能とを有することを特徴とする請求項１又は２に記載の携帯電話機。
【発明の詳細な説明】
【０００１】
【発明の属する技術分野】
本発明は、携帯電話機に関する。
【０００２】
【従来の技術】
従来から、商品管理を目的として、ＪＡＮ（Ｊａｐａｎｅｓｅ  Ａｒｔｉｃｌｅ  Ｎｕｍｂｅｒ）コードが商品の包装に付けられている。
【０００３】
【発明が解決しようとする課題】
店頭で消費者が商品情報を確認する方法として、ＪＡＮコードを読み取り、このＪＡＮコードを専用端末や携帯端末に入力して、このＪＡＮコードで記載された商品情報を、この専用端末や携帯端末で出力することが考えられる。
【０００４】
しかしながら、ＪＡＮコードを専用端末や携帯端末に効率良く入力するには、専用のバーコードリーダが別途必要となる。
【０００５】
またＪＡＮコードは、標準で１３桁、短縮で８桁の数値なので、記載できる商品情報の量が少ない。
【０００６】
本発明は、係る従来技術の欠点に鑑みてなされたもので、消費者がより多くの商品情報を簡単に得ることができるようにすることを課題とする。
【０００７】
【課題を解決するための手段】
本発明において上記の課題を達成するために、まず請求項１の発明では、ＣＣＤカメラを内蔵している携帯電話機であって、前記ＣＣＤカメラで、２次元バーコードにより商品の包装に記載されている商品情報を読み取り、この商品情報を画面上に出力する機能を有することを特徴とする携帯電話機としたものである。
【０００８】
また請求項２の発明では、画面上に出力されている商品情報から商品のホームページのＵＲＬを選択する機能と、商品のホームページのＵＲＬが選択されると、商品の詳細情報を、商品情報公開用サーバから受信してブラウザの画面で出力する機能とを有することを特徴とする請求項１に記載の携帯電話機としたものである。
【０００９】
また請求項３の発明では、画面上に出力されている商品情報から商品説明の案内電話番号を選択する機能と、商品説明の案内電話番号が選択されると、商品の音声案内サーバに電話が掛り、商品の音声案内サーバから提供される商品の音声案内を出力する機能とを有することを特徴とする請求項１又は２に記載の携帯電話機としたものである。
【００１０】
【発明の実施の形態】
以下に、本発明の一実施形態を説明する。
【００１１】
本発明では、商品の包装に、２次元バーコード付し、この２次元バーコードにより商品情報を記載する。この２次元バーコードは、数字以外にも漢字など日本語で用いる文字も表わせるもので、ＪＡＮコードのような１次元バーコードよりも多くの商品情報を表現できる。この２次元バーコードにより商品の包装に記載される商品情報には、例えば、商品名、商品の簡単な説明文、商品のホームページのＵＲＬ（Ｕｎｉｆｏｒｍ  Ｒｅｓｏｕｒｃｅ  Ｌｏｃａｔｏｒ）、商品説明の案内電話番号等がある。
【００１２】
また本発明では、インターネットに接続されている商品情報公開用サーバを設ける。この商品情報公開用サーバは、商品情報を格納し、インターネットを介して、２次元バーコードにより商品の包装にＵＲＬが記載されている商品のホームページ等で、商品情報を公開するものである。
【００１３】
また本発明では、商品の音声案内サーバを設ける。この音声案内サーバは、商品説明の音声案内電話番号に電話を掛けることで繋がり、電話回線を介して、商品説明の音声案内を提供するものである。
【００１４】
本発明の携帯電話機は、インターネット接続可能なブラウザ機能付きで、ＣＣＤカメラを内蔵している。また本発明の携帯電話機は、ＣＣＤカメラで、２次元バーコードにより商品の包装に記載されている商品情報を読み取り、この商品情報を画面上に出力する機能を有する。この商品情報を出力する画面は、ブラウザの画面であっても良い。
【００１５】
また本発明の携帯電話機は、画面上に出力されている商品情報から商品のホームページのＵＲＬを選択する機能と、商品のホームページのＵＲＬが選択されると、商品の詳細情報を、商品情報公開用サーバから受信してブラウザの画面で出力する機能とを有する。
【００１６】
また本発明の携帯電話機は、画面上に出力されている商品情報から商品説明の案内電話番号を選択する機能と、商品説明の案内電話番号が選択されると、商品の音声案内サーバに電話が掛り、商品の音声案内サーバから提供される商品の音声案内を出力する機能とを有する。
【００１７】
以下、消費者が、本発明の携帯電話機を用いて、商品情報を得る手順の流れの例を、図１のフローチャートに従って説明する。
【００１８】
ＳＴＥＰ１；
消費者が、商品の包装に付いている２次元バーコードに、携帯電話機のＣＣＤカメラを向けて、読み取り状態にすると、携帯電話機は、その２次元バーコードを、そのＣＣＤカメラで読み取る。
【００１９】
ＳＴＥＰ２；
携帯電話機は、ＣＣＤカメラで読み取った２次元バーコードで表現されている商品情報を、画面上に出力する。これにより、消費者は、商品名、商品の簡単な説明文、商品のホームページのＵＲＬ、商品説明の案内電話番号等を確認できる。また、消費者は、画面上に出力されている商品情報の中から、商品のホームページのＵＲＬや、商品説明の案内電話番号を選択できる。
【００２０】
ＳＴＥＰ３；
消費者が、画面上に出力されている商品情報の中から、商品のホームページのＵＲＬを選択すると、携帯電話機は、商品情報公開サーバが提供する商品のホームページに接続する。
【００２１】
ＳＴＥＰ４；
商品情報公開サーバは、商品のホームページのコンテンツ内容（商品詳細情報）を、インターネットを介して、携帯電話機のブラウザに送信する。コンテンツは、文字、静止画像、動画像、音声などである。
【００２２】
ＳＴＥＰ５；
携帯電話機は、商品のホームページのコンテンツ内容（商品詳細情報）を受信し、ブラウザの画面で出力する。これにより、消費者は、商品詳細情報を確認することができる。
【００２３】
ＳＴＥＰ６；
消費者が、画面上に出力されている商品情報の中から、商品説明の案内電話番号を選択すると、携帯電話機は、商品説明の案内電話番号に電話を掛けて、商品の音声案内サーバに接続する。
【００２４】
ＳＴＥＰ７；
商品の音声案内サーバは、商品説明の音声案内を、電話回線を介して、携帯電話機に送信する。
【００２５】
ＳＴＥＰ８；
携帯電話機は、商品説明の音声案内を受信し出力する。これにより、消費者は、商品説明の音声案内を聞くことができる。
【００２６】
【発明の効果】
本願の各請求項に記載の発明は、以下の効果がある。
【００２７】
請求項１に記載の発明は、従来のＪＡＮコードで商品の包装に商品情報を記載する場合と比較して、消費者が、遥かに多くの商品情報を、非常に手軽に確認できるという効果がある。
【００２８】
請求項２に記載の発明は、消費者が、商品の詳細情報を、手軽に確認できるという効果がある。
【００２９】
請求項３に記載の発明は、消費者が、商品の説明の案内を、手軽に聞くことができるという効果がある。
【００３０】
以上、本発明は、消費者がより多くの商品情報を簡単に得ることができるという効果がある。
【図面の簡単な説明】
【図１】消費者が、本発明の携帯電話機を用いて、商品情報を得る手順の流れの例を示すフローチャート。
【図１】
2004235798.tif 000002